(57)【要約】  本考案の眼部マッサージ器は、コントロール装置、眼帯、加熱装置、空気圧装置及び振動装置を含む。コントロール装置はコントロール回路を有する。加熱装置は眼帯の中に設置された加熱体を含む。この加熱体の電極はコントロール回路と連結する。空気圧装置はエアバッグ、エアポンプ及び電気弁を含む。エアポンプは気管を通じてエアバッグに気体を運ぶ。エアポンプ及び電気弁はいずれもコントロール回路と連結する。振動装置は眼帯の中に設置されたモーター及びモーターの駆動による偏心運動をする振動器を含む。本考案は加熱装置、空気圧装置、振動装置及びコントロール装置の共同作業を通じて、本考案の眼部マッサージ器の空気圧、振動、加熱、空気圧と加熱、空気圧と振動、加熱と振動の六種類の眼部マッサージモードを実現し、有効に眼部の血液循環を促進し、視覚の負担を和らげ眼部の疲労を低減することができる。【選択図】図４
0003130346.tif 000002
【実用新案登録請求の範囲】
【請求項１】
眼帯を含む眼部マッサージ器であって、
さらにコントロール装置、振動装置及び空気圧装置を含み、
前記コントロール装置はコントロール回路を有し、
前記振動装置は前記眼帯の中に取り付けられ、前記コントロール回路と連結したモーター及びこのモーターと連動する振動器を含み、
前記空気圧装置はエアバッグ、エアポンプ及び電気弁を含み、
前記エアバッグは眼帯の中に取り付けられ、前記エアポンプは気管を通じて前記エアバッグに気体を運び、前記エアポンプ及び電気弁がそれぞれ前記コントロール回路と電気的に連結することを特徴とする眼部マッサージ器。
【請求項２】
前記空気圧装置がさらにエアバッグ連結柱を含み、該エアバッグ連結柱が眼帯の中に取り付けられ、空気出口と空気入口を有し、前記空気入口は給気管を通じて前記エアポンプと連結し、前記空気出口が排気管を通じて電気弁と連結し、かつ前記エアバッグ連結柱が前記エアバッグと連結することを特徴とする請求項１に記載の眼部マッサージ器。
【請求項３】
前記エアバッグ連結柱が、その一側から突き出て設置され、かつ前記エアバッグと連結したエアバッグ柱を含み、該エアバッグ柱が前記空気入口及び空気出口を貫通することを特徴とする請求項２に記載の眼部マッサージ器。
【請求項４】
前記振動器が偏心金槌であり、該偏心金槌が前記モーターの主軸に取り付けられていることを特徴とする請求項１に記載の眼部マッサージ器。
【請求項５】
さらに加熱装置を含み、該加熱装置が前記眼帯の中に取り付けられた加熱体を含み、該加熱体の電極が前記コントロール回路と連結することを特徴とする請求項１から４のいずれか１項に記載の眼部マッサージ器。
【請求項６】
前記眼帯の中に取り付けられた電磁体をさらに含み、該電磁体の電極が前記コントロール回路と繋がっていることを特徴とする請求項１から４のいずれか１項に記載の眼部マッサージ器。
【請求項７】
前記眼帯が基台及び該基台上に取り付けられた蓋体を含み、前記振動装置が前記基台の上に取り付けられており、前記基台の一側の使用者の鼻筋と対応する位置に溝が設けられることを特徴とする請求項１から４のいずれか１項に記載の眼部マッサージ器。
【請求項８】
前記眼帯が前記基台の上に固定された目保護袋をさらに含み、該目保護袋が上下の目保護袋に分かれ、前記上目保護袋の周りが前記基台の周りに固定して組合され、前記下目保護袋の一部分の周りが基台に固定して組合されることを特徴とする請求項７に記載の眼部マッサージ器。
【請求項９】
前記エアバッグが前記下目保護袋の中に設置されることを特徴とする請求項８に記載の眼部マッサージ器。
【請求項１０】
前記コントロール回路が機能プッシュボタンスイッチ、マイクロプロセッサ及びスイッチ回路を含み、前記機能プッシュボタンスイッチが操作指令を出し、前記マイクロプロセッサがその操作指令を受けて電流を相当するスイッチ回路まで出力し、電気を伝導させ、電流がそのスイッチ回路を通って相当する前記モーター、エアポンプ又は電気弁まで出力されることを特徴とする請求項１から４のいずれか１項に記載の眼部マッサージ器。
【考案の詳細な説明】
【技術分野】
【０００１】
本考案は、眼部マッサージ器に関し、特に、眼部の血液循環を促進し、視覚の負担を和らげ眼部の疲労を低減させ、有効に近視を予防・治療できる眼部マッサージ器に関する。
【背景技術】
【０００２】
現在の仕事・生活の中で、人々は長時間目を使うケースが多くなっている。例えば、長時間コンピューターを使う、テレビを見る、本を読むなどである。目に長時間休みがないと、眼部の正常な血液循環に影響を与えやすく、比較的大きな視覚の負担を生じ、眼部の疲労を起こして、目が悪化して近視になるという良くない結果を生じやすい。
【考案の開示】
【考案が解決しようとする課題】
【０００３】
本考案は、上記に鑑みてなされたものであって、眼部の血液循環を促進し、視覚の負担を和らげ、眼部の疲労を低減させ、有効に近視を予防・治療できる眼部マッサージ器を提供することを課題とする。
【課題を解決するための手段】
【０００４】
すなわち、本考案の課題は次のように実現される。本考案の眼部マッサージ器は、眼帯、コントロール装置、振動装置および空気圧装置を含む。前記コントロール装置はコントロール回路を有する。前記振動装置は眼帯の中に取り付けられ、前記コントロール回路と連結したモーター及び該モーターと連動する振動器を含む。前記空気圧装置はエアバッグ、エアポンプ、および電気弁からなる。前記エアバッグは前記眼帯の中に取り付けられる。前記エアポンプは気管を通じて、前記エアバッグに空気を運ぶ。前記エアポンプ及び電気弁はいずれもコントロール回路と電気的に連結する。
【０００５】
前記空気圧装置はエアバッグ連結柱をさらに含むことができる。このエアバッグ連結柱は前記眼帯の中に取り付けられ、空気出口および空気入口を有する。そのうち、前記空気入口は給気管を通じて前記エアポンプと連結し、前記空気出口は排気管を通じて前記電気弁と連結する。また前記エアバッグ連結柱は前記エアバッグと連結する。
【０００６】
本考案の眼部マッサージ器はさらに加熱装置を含むことができる。この加熱装置は眼帯の中に取り付けられた加熱体を含む。この加熱体の電極はコントロール回路と連結する。
【０００７】
前記振動器は偏心金槌であり、前記モーターの主軸に取り付けられる。
【０００８】
前記コントロール回路は機能プッシュボタンスイッチ、マイクロプロセッサ及びスイッチ回路を含むことが好ましい。前記機能プッシュボタンスイッチが操作指令を出し、前記マイクロプロセッサはその操作指令を受け、電流をスイッチ回路まで出力し、伝導させる。その電流は前記スイッチ回路を通って相当する前記モーター、エアポンプ又は電気弁まで出力される。
【０００９】
従来技術と比べると本考案は以下の長所を有する。１）空気圧装置、振動装置及びコントロール装置の共同作業を通じて、使用者の眼部に対して空気圧又は振動マッサージの機能を実現できる。加熱装置を通じて、血液循環を促進し、視覚の負担を和らげ疲労を低減させることができる。２）マイクロプロセッサ、機能プッシュボタンスイッチ及びスイッチ回路の設置を通じて、空気圧、振動、加熱、空気圧と加熱、空気圧と振動、加熱と振動の六種類の眼部マッサージモードを実現し、使用者が自身の必要によって相当する眼部マッサージモードを選ぶことに利便性を提供できる。
【考案の効果】
【００１０】
本考案の眼部マッサージ器により、眼部の血液循環を促進し、視覚の負担を和らげ眼部の疲労を低減させ、有効に近視を予防・治療できる。
【考案を実施するための最良の形態】
【００１１】
以下に、本考案の実施形態について、本考案の眼部マッサージ器の一例を用いて説明するが、本考案はこれに限定されるものではない。
図１から図４で参照されるように、本考案の眼部マッサージ器は、眼帯、コントロール回路を有するコントロール装置７、空気圧装置、加熱装置及び振動装置を含む。眼帯は目保護袋１及び相互に組み合わされたプラスチック基台２と蓋体５を含む。この眼帯はその両端に連結する帯状の固定装置により使用者の頭部に縛り固定され、これにより使用者がこの眼帯をかぶることに利便性を提供する。
【００１２】
蓋体５は基台２と輪郭形状がだいたい同じで、その蓋が基台２の上に設置される。基台２は縦長のアーチ型で、その縦長の一側に向いて設置された弓形溝２３と、間隔をおいて分布した若干の螺旋取付孔２２を含む。また、基台２の上に二つのモーター３と電気弁４１とエアバッグ連結柱が設置される。その弓形溝２３は使用者の鼻筋の部分に真っ正面から相対する。弓形溝２３の両側にある二つの対称のモーター３は基台２の縦長が両側に向いたモーター取付座３１に取り付けられる。各モーター３の主軸３２に偏心構造の振動器が設置され、この振動器は実施方式において偏心金槌２１である。この偏心金槌２１はモーター３の主軸に取り付けられる。モーター３の運転を通じて偏心金槌２１を動かす。そして、この偏心金槌２１の偏心回転を通じて、眼部マッサージ器を振動させる。取付孔２２は螺旋連結子をもって、基台２と蓋体５に固定・連結される。
【００１３】
エアバッグ連結柱４２は二つのモーター３の間の中央位置に取り付けられ、空気入口４２１と空気出口４２２を一つずつ有する。空気入口４２１は給気管と連結し、給気管はコントロール装置７の中に取り付けられたエアポンプ４３と連結し、エアポンプ４３は電気弁４１と連結し、電気弁４１はコントロール装置７の回路板７２と連結する。空気出口４２２は排気管を通じて、電気弁４１と連結する。またこのエアバッグ連結柱４２は基台２表面から一定の長さを伸ばしたエアバッグ柱４２０も含む。このエアバッグ柱４２０は空気入口４２１及び空気出口４２２を貫通して設置される。眼部マッサージ器のエアバッグ４４が給気の時、コントロール装置７は電磁弁４１を閉じる。そのため、空気出口４２２が気体を吐き出すことができないので、エアポンプ４３がエアバッグ４４に気体を充満させる。また、給気が終わると、コントロール装置７は電磁弁４１を開ける。このため、空気出口４２２を通って、エアバッグ４４の中の気体がゆっくり吐き出される。
【００１４】
基台２の周りには若干の孔２６が蜜に分布して、この孔２６を通じて、目保護袋１を基台２の上に固定する。この目保護袋１は柔らかい材料をもって作成され、基台２と形が大体同じ上下の目保護袋１１、１２を含む。上目保護袋１１は全部の周りが孔２６を通じて基台２の上に固定される。また、上目保護袋１１と対応する基台２のエアバッグ柱４２０の位置に開口が設置され、この開口を通じて上目保護袋１１が突き出す。下目保護袋１２は部分の周りだけ基台２の上に固定され、こうして上目保護袋１１と対応する開け又は閉じができる。下目保護袋１２は少なくとも二段あり、この二段の間にエアバッグ４４と加熱体５が設置される。このエアバッグ４４はそれぞれ使用者の眼部の位置に対応し、そして上目保護袋１１の開口１１１を通るエアバッグ柱４２０と連結する。それによって、エアバッグ４４とエアバッグ連結柱４２の間に気体の通路を形成する。この加熱体４も使用者の眼部の位置に対応し、その電極が導線をもってコントロール装置７の回路板７２と連結する。また、下目保護袋１２の縦長の両側に電磁体（図で示されていない）を取り付けることができる。その電磁体の電極は回路板７２と連結する。回路板７２のコントロールをもって電磁体に電気を伝導させて電磁場を発生させ、それによって使用者の眼部を磁性力でマッサージする。
【００１５】
コントロール装置７は殻体７１、殻体７１の中に設置された回路板７２及び殻体７１の表面に設置された操作ボタン７３を含む。また、エアポンプ４３も眼帯の中に設置できるが、一般にこの殻体７１の中に設置される。回路板７２に電子素子が搭載されている。この回路板７２の電子素子と電子回路の電子線及び電子素子により、コントロール装置７のコントロール回路が構成される。上記の操作ボタン７３、モーター３、電気弁４１及びエアポンプ４３の電極は導線をもって回路板７２につながる。操作ボタン７３の選択とこのコントロール回路を通じて眼部マッサージ器の各機能の相互作用を実現する。
【００１６】
図５は本考案の眼部マッサージ器のコントロール回路の回路図である。そのうち、Ｕ１はファームウェアを有するマイクロプロセッサで、ＤＪ１は回路板７２に設置された外負荷インターフェースである。モーター３と電気弁４１及びエアポンプ４３はそのＤＪ１インターフェースの相当するポートを通じてコントロール回路と連結する。Ｓ１〜Ｓ５は機能プッシュボタンスイッチで、各機能プッシュボタンスイッチがそれぞれ一つの操作ボタン７３即ち空気圧・振動・加熱などの機能操作と対応し、操作ボタン７３を押すことによりこの機能プッシュボタンスイッチを入れる。ＣＯＮ２及びＣＯＮ３は操作ボタン７３とマイクロプロセッサＵ１との連結に使う。Ｑ１〜Ｑ５はスイッチトランジスター（当然その機能は普通のスイッチ回路を通じても実現できる）で、各種のマッサージモードの開きと閉じのコントロールに使う。発光ダイオードＡ、Ｂ及びＣは状態の指示を行うことに使う。例えば空気圧、振動或は加熱の状態を指示する。相当する操作ボタン７３を押したら機能プッシュボタンスイッチはＵ１に相応の操作指令を出す。Ｕ１はその指令を受けた後電流を出力して対応するスイッチトランジスターを入れる。それによって電流がそのスイッチトランジスターと負荷インターフェースの対応するポートを通って、ポートと連結したモーター３、電気弁４１或はエアポンプ４３を回転させ、眼部マッサージ器の空気圧、振動或は加熱を実現する。
【００１７】
本考案における空気圧装置は、エアバッグ連結柱４２、エアバッグ４４、電気弁４１及びエアポンプ４３からなっている。エアポンプ４３はエアバッグ連結柱４２の空気入口４２１を通ってエアバッグ４４に気体を運ぶ。また、電気弁４１はコントロール装置７のコントロール回路のコントロールをもってその開きと閉じを実現する。それによって、空気圧マッサージを実現する。加熱体５からなっている加熱装置は加熱マッサージを実現する。モーター３と偏心金槌２１からなる振動装置は振動マッサージを実現する。コントロール回路のコントロール及び操作ボタンの選択を通じて眼部マッサージ器の空気圧、振動、加熱、空気圧と加熱、空気圧と振動、加熱と振動の六種類の眼部マッサージモードの機能を実現し、眼部の血液循環を促進し、視覚の負担を和らげ眼部の疲労を低減して有効に近視を予防・治療する。
【産業上の利用可能性】
【００１８】
以上のように、本発明にかかる眼部マッサージ器は、眼部の血液循環を促進し、視覚の負担を和らげ眼部の疲労を低減して有効に近視を予防・治療する上で有用である。
【図面の簡単な説明】
【００１９】
【図１】本考案の眼部マッサージ器の基台及びその上に設置された素子を説明する図である。
【図２】別の角度から見た図１を説明する図である。
【図３】本考案の眼部マッサージ器の蓋体の正面図である。
【図４】本考案の眼部マッサージ器の平面図である。
【図５】本考案の眼部マッサージ器のコントロール回路の回路図である。
【符号の説明】
【００２０】
１  目保護袋
２  プラスチック基台
３  モーター
４  加熱体
５  蓋体
７  コントロール装置
１１  上目保護袋
１１１  開口
１２  下目保護袋
２１  偏心金槌
２２  螺旋取付孔
２３  弓形溝
２６  孔
３１  モーター取付座
３２  主軸
４１  電気弁
４２  エアバッグ連結柱
４２０  エアバッグ柱
４２１  空気入口
４２２  空気出口
４３  エアポンプ
４４  エアバッグ
７１  殻体
７２  回路板
７３  操作ボタン
Ｕ１  マイクロプロセッサ
ＤＪ１  外負荷インターフェース
Ｓ１〜Ｓ５  機能プッシュボタンスイッチ
ＣＯＮ２及びＣＯＮ３  操作ボタン７３とマイクロプロセッサＵ１との連結
Ｑ１〜Ｑ５  スイッチトランジスター
Ａ、Ｂ及びＣ  発光ダイオード
【図１】
0003130346.tif 000003
【図２】
0003130346.tif 000004
【図３】
0003130346.tif 000005
【図４】
0003130346.tif 000006
【図５】
0003130346.tif 000007